(57)【要約】【課題】ベッド等（病院用ベッド、在宅ベッド、一般ベッド）におけるボトムに載置するマットレスを、カバー部材によってずれ落ちないように保持する。【解決手段】ボトム起伏機能を有するベッド１のボトム３に載置されるマットレス４を、ボトム３ごと覆うカバー部材５を備え、このカバー部材底面５ａにおける長円状の開口部５ｂの開口縁５ｃに沿って弾性部材６（例えばゴムひも）を付設して、常時、カバー部材５を底面５ａ側に付勢する構成とする。また、前記開口部５ｂの開口縁５ｃ近傍には、開口部５ｂを挟んで対向するように締結手段９（例えば一対の紐部材）を複数配設する。その他締結手段９としては、締結帯として構成して、先端にそれぞれ例えば面ファスナ、あるいはスナップファスナを設け、開口部５ｂを挟んで互いに対向する締結手段９を係着連結することもできる。【選択図】　　　　　　　図４
2004129884.tif 000002
【特許請求の範囲】
【請求項１】
ベッド等のボトムに載置されるマットレスを、ボトムごと覆うことで、前記マットレスをボトムに保持するカバー部材を備えたことを特徴とするベッド等におけるマットレスずれ止め装置。
【請求項２】
前記カバー部材は、底面に開口部を形成した袋状体として構成し、前記開口部を形成する開口縁を介して前記マットレスおよびボトムを包み込んで保持する構成としたことを特徴とする請求項１記載のベッド等におけるマットレスずれ止め装置。
【請求項３】
前記カバー部材の底面における開口部の開口縁に沿って弾性部材を付設したことを特徴とする請求項２記載のベッド等におけるマットレスずれ止め装置。
【請求項４】
前記カバー部材のボトムを覆う箇所に、カバー部材と前記ボトムとを止着する止着手段を設けたことを特徴とする請求項１記載のベッド等におけるマットレスずれ止め装置。
【請求項５】
前記カバー部材のボトムを覆う箇所に締結手段を配設し、この締結手段により、前記カバー部材のボトムを覆う箇所を連結して前記マットレスをボトムに保持する構成としたことを特徴とする請求項１記載のベッド等におけるマットレスずれ止め装置。
【請求項６】
前記締結手段は、前記カバー部材におけるボトムを覆う箇所に複数配設した、紐部材によって構成したことを特徴とする請求項５記載のベッド等におけるマットレスずれ止め装置。
【請求項７】
前記締結手段は、前記カバー部材におけるボトムを覆う箇所に、複数配設した締結帯によって構成し、これら締結帯先端に、互いに締結帯を係着連結する止着手段を備えたことを特徴とする請求項５記載のベッド等におけるマットレスずれ止め装置。
【請求項８】
前記止着手段は、面ファスナであることを特徴とする請求項４、７記載のベッド等におけるマットレスずれ止め装置。
【請求項９】
前記止着手段は、スナップファスナであることを特徴とする請求項４、７記載のベッド等におけるマットレスずれ止め装置。
【発明の詳細な説明】
【０００１】
【発明の属する技術分野】
本発明は、ベッド等（病院用ベッド、在宅ベッド、一般ベッド）におけるボトムに載置するマットレスを、カバー部材によってずれ落ちないように保持する、ベッド等におけるマットレスずれ止め装置に関するものである。
【０００２】
【従来の技術】
従来、ベッド等におけるボトムに載置されるマットレスは、そのまま単にボトムに載置した状態で使うことがあり、あるいは、適宜なカバー部材で覆って使用することが多かった。その際、ボトムの起伏機構を備えたベッド等では、ボトムを動かすことでマットレスがボトムからずれてしまうため、多くは、ボトムのフットボード側に近接した足ボトムに、マットレス金具を設けて対処してきた。
【０００３】
【発明が解決しようとする課題】
しかしながら、前記ベッド等におけるマットレス金具では、マットレスの一部、すなわち足ボトム側を保持するだけのものであり、マットレス全体をずれないようにすることは困難であった。
また、前記マットレスは単にボトムに載置するだけであり、また、カバー部材で覆って使用する場合であっても、前記ボトムの側面は露出した状態であり、外観を損ねるおそれもあった。
本発明は、以上のような背景から提案されたものであって、ベッド等におけるボトムに載置するマットレスを、カバー部材によってずれ落ちないように保持する、ベッド等におけるマットレスずれ止め装置を提供することを目的とする。
【０００４】
【課題を解決するための手段】
前記した課題を解決するために、本発明では、請求項１において、ベッド等のボトムに載置されるマットレスを、ボトムごと覆うことで、前記マットレスをボトムに保持するカバー部材を備えたベッド等におけるマットレスずれ止め装置を提案する。
また本発明では、請求項２において、前記カバー部材は、底面に開口部を形成した袋状体として構成し、前記開口部を形成する開口縁を介して前記マットレスおよびボトムを包み込んで保持する構成としたベッド等におけるマットレスずれ止め装置を提案する。
また本発明では、請求項３において、前記カバー部材の底面における開口部の開口縁に沿って弾性部材を付設したベッド等におけるマットレスずれ止め装置を提案する。
また本発明では、請求項４において、前記カバー部材のボトムを覆う箇所に、カバー部材と前記ボトムとを止着する止着手段を設けたベッド等におけるマットレスずれ止め装置を提案する。
また本発明では、請求項５において、前記カバー部材のボトムを覆う箇所に締結手段を配設し、この締結手段により、前記カバー部材のボトムを覆う箇所を連結して前記マットレスをボトムに保持する構成としたベッド等におけるマットレスずれ止め装置を提案する。
また本発明では、請求項６において、前記締結手段は、前記カバー部材におけるボトムを覆う箇所に複数配設した、紐部材によって構成したベッド等におけるマットレスずれ止め装置を提案する。
また本発明では、請求項７において、前記締結手段は、前記カバー部材におけるボトムを覆う箇所に、複数配設した締結帯によって構成し、これら締結帯先端に、互いに締結帯を係着連結する止着手段を備えたベッド等におけるマットレスずれ止め装置を提案する。
また本発明では、請求項８において、前記止着手段は、面ファスナであるベッド等におけるマットレスずれ止め装置を提案する。
さらに本発明では、請求項９において、前記止着手段は、スナップファスナであるベッド等におけるマットレスずれ止め装置を提案する。
【０００５】
請求項１によれば、ベッド等のボトムに載置されるマットレスを、ボトムごとカバー部材によって覆うので、前記マットレスは、前記カバー部材によってボトム上に全体的にずれなく保持される。これにより、ボトムの背上げ調節、膝上げ調節を行なった状態でも、カバー部材は、ボトムおよびマットレスの変位に追従し、マットレスを、ボトム上にずれることなく保持することができる。また、ボトム側面がカバー部材で覆われるため、外観上もよい。
【０００６】
請求項２によれば、ベッド等のボトムに載置されるマットレスを、ボトムごとカバー部材により覆う際、カバー部材底面における開口部の開口縁を介して、ボトムごとマットレスを包み込んで、マットレスをボトム上に保持することができる。
【０００７】
請求項３によれば、カバー部材底面における開口部の開口縁に沿って設けた弾性部材により、ボトムを覆った状態でマットレスを、ボトム上にずれることなく保持することができる。
【０００８】
請求項４によれば、ベッド等のボトムに載置されるマットレスを、ボトムごとカバー部材で覆う際、カバー部材におけるボトムを覆う箇所を止着手段で止め付けるので、マットレスをボトムにずれないように保持することができる。
【０００９】
請求項５によれば、ベッド等のボトムに載置されるマットレスを、ボトムごとカバー部材で覆う際、カバー部材におけるボトムを覆う箇所を、締結手段によって締結するので、カバー部材により、マットレスをボトム側にずれないように保持することができる。
【００１０】
請求項６によれば、ベッド等のボトムに載置されるマットレスを、ボトムごとカバー部材で覆う際、カバー部材におけるボトムを覆う箇所を、紐部材により互いに結び付ける。これによって、カバー部材は、弛みなくマットレスを覆うことができ、マットレスをボトム上に全体的にずれることなく保持することができる。
【００１１】
請求項７によれば、カバー部材におけるボトムを覆う箇所を、締結帯先端の止着手段を介して締結帯を互いに連結することで、カバー部材により、弛みなくマットレスを覆うことができる。
【００１２】
請求項８によれば、止着手段に面ファスナを用いることにより、カバー部材の着脱作業が容易である。
【００１３】
請求項９によれば、止着手段にスナップファスナを用いることにより、カバー部材の着脱作業が容易である。
【００１４】
【発明の実施の態様】
以下、本発明にかかるベッド等におけるマットレスずれ止め装置につき、実施の形態を示し、添付の図面に基づいて説明する。
図１にベッド等のうちのボトム位置姿勢調節機能を有するベッド１におけるマットレスずれ止め装置２を示す。
すなわちこのマットレスずれ止め装置２は、前記ベッド１のボトム３に載置されるマットレス４を、ボトム３ごと覆うカバー部材５を備え、このカバー部材５は、底面５ａに開口部５ｂを形成した袋状のものであり、このカバー部材底面５ａにおける長円状の開口部５ｂの開口縁５ｃに沿って弾性部材６を付設して、常時、カバー部材５を底面５ａ側に付勢する構成としている。
【００１５】
前記ベッド１は、周知のボトム起伏機能と高さ調節機能を備えたもので、詳細は説明はしないが、脚部７に対してボトム３を支えるメインフレーム８を昇降調節可能であり、また、前記ボトム３は、適宜な分割構造であり、例えば人体の背部を支える背ボトム、背ボトムと腰ボトムとの間の屈曲角度を緩和した角度とする湾曲ボトム、腰部を支える腰ボトム、膝ボトム、足ボトムに分割され、それぞれ背上げ機構、膝上げ機構によって背上げ下げ、膝上げ下げ調節可能としたものである。
【００１６】
前記マットレス４は、周知の素材で構成したもので、ボトム３全体とほぼ同寸法のもので構成している。
【００１７】
そして前記カバー部材５は、例えば伸縮性を兼ね備えた、防水性または撥水性の布部材で構成することができる。
また、前記カバー部材５底面５ａの開口部５ｂにおける開口縁５ｃに付設された弾性部材６には、周知のゴムひもを用いることができる。
さらに前記カバー部材５底面５ａの開口部５ｂの開口縁５ｃ近傍には、開口部５ｂを挟んで対向するように締結手段９を複数配設することができる。
これら締結手段９は、開口縁５ｃ近傍に縫着した、一対の紐部材によって構成し、開口部５ｂを挟んで互いに対向する紐部材同士を結んで、開口縁５ｃに付設された弾性部材６と共に、前記カバー部材５を底面５ａの開口部５ｂ側に引っ張った状態で前記マットレス４をボトム３ごと包み込むようにしている。なお、図示はしていないが、締結手段９は、開口部５ｂ短手方向に対向するように配設しているが、勿論、開口部５ｂ長手方向に対向するように配設することもできる。
この他、締結手段９としては前記一対の紐部材に限らず、締結帯として構成し、先端にそれぞれ例えば面ファスナ、あるいはスナップファスナを設け、開口部５ｂを挟んで互いに対向する締結手段９を係着連結することもできる。
【００１８】
以上のようなマットレスずれ止め装置２において、ベッド１のボトム３に載置されるマットレス４を、カバー部材５によって覆う際、カバー部材５底面５ａの開口部５ｂにおける開口縁５ｃを、弾性部材６の弾性力に抗して拡げ、マットレス４をボトム３ごとカバー部材５の開口部５ｂからカバー部材５内に包み込む。
【００１９】
すると、前記カバー部材５の開口部５ｂにおける開口縁５ｃは、ボトム３裏面側において、弾性部材６の弾性力によって、開口部５ｂを狭めるようにカバー部材５を引っ張った状態で保持される。
次いで、前記開口縁５ｃ近傍に縫着した締結手段９としての一対の紐部材を、開口部５ｂを挟んで互いに対向する紐部材同士を結び合わせる。
これによって、前記カバー部材５は、弛みなくマットレス４を覆うことができ、マットレス４をボトム３上に全体的にずれることなく保持することができる。しかもこの際、ボトム３側面がカバー部材５で覆われるため、外観上もよい。
【００２０】
このように、ベッド１のボトム３に載置されるマットレス４を、ボトム３ごとカバー部材５で、ボトム３裏面側に常時引っ張った状態で保持することができるので、例えばボトム３の背上げ調節、膝上げ調節を行なった状態でも、カバー部材５は、ボトム３およびマットレス４の変位に追従し、マットレス４を、ボトム３上にずれることなく保持することができる（図４参照）。
【００２１】
また、本発明にかかるベッド等におけるマットレスずれ止め装置は、以下のように構成することもできる。
すなわちこの場合のマットレスずれ止め装置２では、マットレス４を、ボトム３ごとカバー部材５で覆う際、ボトム３裏面側において、カバー部材５底面５ａの開口部５ｂ近傍を、前記カバー部材５を底面５ａ側に付勢した状態で止着手段としての面ファスナ（図示省略）で保持するようにしている。
この場合、開口部５ｂの開口縁５ｃ近傍の内側面と対応するボトム裏面側にそれぞれ面ファスナとしての係着面を配設することができる。
なお、前記止着手段としては、面ファスナの他、スナップファスナも可能である。
【００２２】
以上のようなマットレスずれ止め装置２によれば、ベッド１のボトム３に載置されるマットレス４を、ボトム３ごとカバー部材５で覆う際、ボトム３裏面側において、カバー部材５底面５ａの開口縁５ｃ近傍を、開口部５ｂ側に引っ張った状態で止着手段で保持することができるので、マットレス４を緩みなく覆って、一層強固に、ボトム３にずれないように保持することができ、作業も簡単である。
【００２３】
【発明の効果】
以上の通り、本発明によれば、
（１）ベッド等のボトム上のマットレスを、カバー部材によりボトムごと、カバー部材をボトム裏面側に引っ張った状態で包み込むので、マットレス全体をずれることなく、ボトム上に保持することができる。
（２）ベッド等のボトム上のマットレスを、カバー部材によりボトムごと覆うようにしたので、ボトム側面は露出することなく、外観上も向上する。
【００２４】
【図面の簡単な説明】
【図１】本発明にかかるマットレスずれ止め装置を用いたベッドの一例を示す、概略側面図である。
【図２】図１に示すマットレスずれ止め装置の一例を示す、カバー部材の外観斜視図である。
【図３】図１に示すマットレスずれ止め装置であるカバー部材の断面説明図である。
【図４】本発明にかかるマットレスずれ止め装置を用いたベッドにおいて、ボトムを背上げ膝上げ調整した状態を示す、概略断面説明図である。
【符号の説明】
１　　　　　　　　　　　ベッド
２　　　　　　　　　　　マットレスずれ止め装置
３　　　　　　　　　　　ボトム
４　　　　　　　　　　　マットレス
５　　　　　　　　　　　カバー部材
５ａ　　　　　　　　　　底面
５ｂ　　　　　　　　　　開口部
５ｃ　　　　　　　　　　開口縁
６　　　　　　　　　　　弾性部材
７　　　　　　　　　　　脚部
８　　　　　　　　　　　メインフレーム
９　　　　　　　　　　　締結手段
【図１】
2004129884.tif 000003
【図２】
2004129884.tif 000004
【図３】
2004129884.tif 000005
【図４】
2004129884.tif 000006